(57)【要約】【課題】データの復元の手間を削減する。【解決手段】本発明の情報処理装置は、データを記憶する記憶部と、外部機器とデータを送受信する通信部と、入力手段と、前記入力手段に前記記憶部に記憶されているデータの中から特定のデータを指定して前記外部機器へ送信する旨が入力されると、前記記憶部に前記特定のデータに対応する識別情報を記憶させるとともに、前記通信部に前記特定のデータを前記外部機器へ送信させ、前記入力手段に前記特定のデータの復元を要求する旨が入力されると、前記通信部に、前記記憶部に記憶されている識別情報に対応するデータの送信要求を前記外部機器に対して行わせ、その後、前記送信要求に応じて前記外部機器から送信されてきたデータを受信させる制御部と、を有する。【選択図】図２
2012216910.tif 000002
【特許請求の範囲】
【請求項１】
データを記憶する記憶部と、
外部機器とデータを送受信する通信部と、
入力手段と、
前記入力手段に前記記憶部に記憶されているデータの中から特定のデータを指定して前記外部機器へ送信する旨が入力されると、前記記憶部に前記特定のデータに対応する識別情報を記憶させるとともに、前記通信部に前記特定のデータを前記外部機器へ送信させ、前記入力手段に前記特定のデータの復元を要求する旨が入力されると、前記通信部に、前記記憶部に記憶されている識別情報に対応するデータの送信要求を前記外部機器に対して行わせ、その後、前記送信要求に応じて前記外部機器から送信されてきたデータを受信させる制御部と、を有することを特徴とする情報処理装置。
【請求項２】
請求項１記載の情報処理装置において、
前記制御部は、前記入力手段に新たなデータを前記記憶部に記憶させる旨が入力されると、前記記憶部における前記特定のデータが占める割合を小さくして、前記新たなデータを前記記憶部に記憶させることを特徴とする情報処理装置。
【請求項３】
請求項２記載の情報処理装置において、
前記制御部は、前記記憶部が前記新たなデータを記憶可能な記憶可能容量が所定値以下であるか否かを判定し、前記記憶可能容量が所定値以下である場合には、前記記憶部における前記特定のデータが占める割合を小さくすることを特徴とする情報処理装置。
【請求項４】
請求項２または３記載の情報処理装置において、
前記制御部は、前記記憶部に記憶されている前記特定のデータを削除して、前記記憶部における前記特定のデータが占める割合を小さくすることを特徴とする情報処理装置。
【請求項５】
請求項２または３記載の情報処理装置において、
前記制御部は、前記記憶部に記憶されている前記特定のデータを圧縮して、前記記憶部における前記特定のデータが占める割合を小さくすることを特徴とする情報処理装置。
【請求項６】
請求項２から５のいずれか１項に記載の情報処理装置において、
前記制御部は、前記特定のデータの復元を要求する旨が入力されると、前記記憶部に前記特定のデータが記憶されているか否かを判定し、前記特定のデータが前記記憶部に記憶されていない場合には、前記通信部に前記送信要求を行わせることを特徴とする情報処理装置。
【請求項７】
請求項１から６のいずれか１項に記載の情報処理装置において、
前記制御部は、前記通信部に、前記記憶部に記憶されている、前記特定のデータ以外のデータをさらに前記外部機器へ送信させ、前記外部機器へのデータの送信後に、前記特定のデータ以外のデータを前記記憶部から削除させることを特徴とする情報処理装置。
【請求項８】
情報処理装置の制御方法であって、
データを記憶し、
前記情報処理装置の入力手段に前記記憶しているデータの中から特定のデータを指定して外部機器へ送信する旨が入力されると、前記特定のデータに対応する識別情報を記憶するとともに、前記特定のデータを前記外部機器へ送信し、
前記入力手段に前記特定のデータの復元を要求する旨が入力されると、前記記憶している識別情報に対応するデータの送信要求を前記外部機器に対して行い、その後、前記送信要求に応じて前記外部機器から送信されてきたデータを受信することを特徴とする情報処理装置の制御方法。
【請求項９】
情報処理装置に、
データを記憶する処理と、
前記情報処理装置の入力手段に前記記憶しているデータの中から特定のデータを指定して外部機器へ送信する旨が入力されると、前記特定のデータに対応する識別情報を記憶するとともに、前記特定のデータを前記外部機器へ送信する処理と、
前記入力手段に前記特定のデータの復元を要求する旨が入力されると、前記記憶している識別情報に対応するデータの送信要求を前記外部機器に対して行い、その後、前記送信要求に応じて前記外部機器から送信されてきたデータを受信する処理と、を実行させるプログラム。
【発明の詳細な説明】
【技術分野】
【０００１】
本発明は、外部機器とデータを送受信する情報処理装置、情報処理装置の制御方法、および、プログラムに関する。
【背景技術】
【０００２】
近年、ＣＭＯＳ（Complementary Metal Oxide Semiconductor）、ＣＣＤ（Charge Coupled Device Image Sensor）などの撮像素子が撮影した撮影画像をデジタル形式の画像データとして記録媒体に記憶するデジタルカメラなどの情報処理装置が広く用いられている。上述した情報処理装置の多くには、記録媒体に記憶されている画像データに示される画像、また、撮像素子が撮影待機状態で撮影したスルー画像などを表示する表示部と、パーソナルコンピュータなどの外部機器と有線または無線（赤外線を含む）を介して、画像データなどを送受信するための通信インターフェースと、が備えられている。
【０００３】
通信インターフェースを備えた情報処理装置によれば、画像データを外部機器に送信することで、その画像データを外部機器に記憶させたり、外部機器を用いてその画像データに示される画像を鑑賞したりすることができる。
【０００４】
特許文献１（特開２０００−２１５０３３号公報）には、情報処理装置と外部機器との接続を有効としデータを送受信するためのリンクソフトが、情報処理装置との接続をトリガとして外部機器において自動的に起動され、情報処理装置の記録媒体に記憶されている画像データが外部機器に自動的に取り込まれる技術が開示されている。この技術によれば、情報処理装置と外部機器とを接続するだけで、情報処理装置から外部機器に画像データが送信される。
【０００５】
撮影した画像をユーザーが外出先などで鑑賞する場合には、画像を鑑賞するために外部機器を別途用意することは少なく、情報処理装置の表示部に画像を表示させて鑑賞することが多い。
【０００６】
情報処理装置の表示部に画像を表示するためには、その画像の画像データを情報処理装置の記録媒体に記憶させておく必要がある。
【０００７】
しかし、情報処理装置の記録媒体の記憶容量は限られており、鑑賞用の画像の画像データが記憶されている分だけ、新たに撮影される画像の画像データを記憶するための記憶容量は減る。新たに撮影される画像の画像データを記憶するための記憶容量が減ると、撮影可能枚数も減るので、必要な撮影可能枚数を確保するために、鑑賞用の画像の画像データの削除が行われることがある。
【０００８】
画像の画像データを削除した後、再び、情報処理装置を用いてその画像を鑑賞するためには、まず、削除する画像データを情報処理装置から外部機器に送信して記憶させてから削除し、記録媒体の記憶容量を確保した後、外部機器から情報処理装置にその画像データを送信して、情報処理装置上で復元する必要がある。
【０００９】
特許文献２（特開２００６−０２４０４６号公報）には、情報処理装置との接続をトリガとして、外部機器の記録媒体上の所定の場所（フォルダなど）に記憶されているデータを情報処理装置に送信する技術が開示されている。この技術によれば、鑑賞用の画像の画像データを外部機器の記録媒体の所定の場所に記憶させておけば、情報処理装置と外部機器とを接続するだけで、その画像データが情報処理装置に送信され、復元される。
【先行技術文献】
【特許文献】
【００１０】
【特許文献１】特開２０００−２１５０３３号公報
【特許文献２】特開２００６−０２４０４６号公報
【発明の概要】
【発明が解決しようとする課題】
【００１１】
特許文献１に開示の技術は、情報処理装置から外部機器への送信に関するものであり、外部機器から情報処理装置への送信に関するものではない。
【００１２】
また、特許文献２に開示の技術によれば、復元させるデータをユーザーが手動で所定のフォルダなどに予め入れる必要があり、手間がかかるという課題がある。
【００１３】
本発明の目的は、上述した課題を解決し、データの復元の手間を削減することができる情報処理装置、情報処理装置の制御方法、および、プログラムを提供することにある。
【課題を解決するための手段】
【００１４】
上記目的を達成するために本発明の情報処理装置は、
データを記憶する記憶部と、
外部機器とデータを送受信する通信部と、
入力手段と、
前記入力手段に前記記憶部に記憶されているデータの中から特定のデータを指定して前記外部機器へ送信する旨が入力されると、前記記憶部に前記特定のデータに対応する識別情報を記憶させるとともに、前記通信部に前記特定のデータを前記外部機器へ送信させ、前記入力手段に前記特定のデータの復元を要求する旨が入力されると、前記通信部に、前記記憶部に記憶されている識別情報に対応するデータの送信要求を前記外部機器に対して行わせ、その後、前記送信要求に応じて前記外部機器から送信されてきたデータを受信させる制御部と、を有する。
【００１５】
上記目的を達成するために本発明の情報処理装置の制御方法は、
データを記憶し、
前記情報処理装置の入力手段に前記記憶しているデータの中から特定のデータを指定して外部機器へ送信する旨が入力されると、前記特定のデータに対応する識別情報を記憶するとともに、前記特定のデータを前記外部機器へ送信し、
前記入力手段に前記特定のデータの復元を要求する旨が入力されると、前記記憶している識別情報に対応するデータの送信要求を前記外部機器に対して行い、その後、前記送信要求に応じて前記外部機器から送信されてきたデータを受信する。
【００１６】
上記目的を達成するために本発明のプログラムは、
情報処理装置に、
データを記憶する処理と、
前記情報処理装置の入力手段に前記記憶しているデータの中から特定のデータを指定して外部機器へ送信する旨が入力されると、前記特定のデータに対応する識別情報を記憶するとともに、前記特定のデータを前記外部機器へ送信する処理と、
前記入力手段に前記特定のデータの復元を要求する旨が入力されると、前記記憶している識別情報に対応するデータの送信要求を前記外部機器に対して行い、その後、前記送信要求に応じて前記外部機器から送信されてきたデータを受信する処理と、を実行させる。
【発明の効果】
【００１７】
本発明によれば、データの復元の手間を削減することができる。
【図面の簡単な説明】
【００１８】
【図１】本発明の第１の実施形態の情報処理装置の使用状態の一例を示す図である。
【図２】図１に示す情報処理装置の構成を示すブロック図である。
【図３】図２に示す情報処理装置の撮影時の動作を示すフローチャートである。
【図４】図２に示す記録用メモリに記憶される画像データの遷移を示す図である。
【図５】図２に示す外部機器に記憶される画像データの遷移を示す図である。
【図６】鑑賞用画像管理リストに登録される画像データの遷移を示す図である。
【図７】図２に示す情報処理装置のデータ復元時の動作を示すフローチャートである。
【図８】本発明の第２の実施形態の情報処理装置の構成を示すブロック図である。
【発明を実施するための形態】
【００１９】
以下に、本発明を実施するための形態について図面を参照して説明する。
【００２０】
（第１の実施形態）
図１は、本発明の第１の実施形態の情報処理装置１０の使用状態の一例を示す図である。
【００２１】
図１に示すように、情報処理装置１０は、パーソナルコンピュータなどの外部機器２０とＵＳＢ（Universal Serial Bus）３０を介してデータを送受信する。なお、以下では、情報処理装置１０が、デジタルカメラであり、外部機器２０との間で撮影画像の画像データを送受信する場合を例として説明する。
【００２２】
外部機器２０は、ＵＳＢ３０を介して、情報処理装置１０から送信されてきた画像データを受信して記憶する機能と、記憶している画像データを情報処理装置１０に送信する機能と、を備えている。
【００２３】
次に、情報処理装置１０の構成について説明する。なお、外部機器２０は、上述した２つの機能を備えていればいかなる構成でもよいので、説明を省略する。
【００２４】
図２は、情報処理装置１０の構成を示すブロック図である。
【００２５】
図２に示す情報処理装置１０は、撮像素子１０１と、画像処理部１０２と、ワークメモリ１０３と、リサイズ部１０４と、表示部１０５と、圧縮部１０６と、記録用メモリ１０７と、伸張部１０８と、通信部１０９と、入力部１１０と、制御部１１１と、を有する。
【００２６】
撮像素子１０１は、ＣＣＤ，ＣＭＯＳなどであり、光信号を受光して電気信号に変換し、撮影画像を含む画像データを画像処理部１０２に出力する。
【００２７】
画像処理部１０２は、撮像素子１０１から出力された画像データに画像処理を施し、画像処理後の画像データをワークメモリ１０３に出力する。
【００２８】
ワークメモリ１０３は、画像データを一時的に格納する。
【００２９】
リサイズ部１０４は、画像処理後の画像データを表示部１０５での表示用のサイズにリサイズし、リサイズ後の画像データをワークメモリ１０３に出力する。
【００３０】
表示部１０５は、リサイズ後の画像データに示される画像などを表示する。
【００３１】
圧縮部１０６は、例えば、ＪＰＥＧ（Joint Photographic Experts Group）形式でリサイズ後の画像データを圧縮し、圧縮後の画像データをワークメモリ１０３に出力する。
【００３２】
記録用メモリ１０７は、圧縮後の画像データを記憶する。
【００３３】
伸張部１０８は、圧縮後の画像データを伸張し、伸張後の画像データをワークメモリ１０３に出力する。伸張後の画像データは、ワークメモリ１０３を介して表示部１０５に出力され、その画像データに示される画像が表示部１０５に表示される。
【００３４】
通信部１０９は、ＵＳＢ３０を介して外部機器２０と接続され、画像データなどを送受信する。
【００３５】
入力部１１０は、操作入力のための入力手段であり、入力操作に応じた制御信号を制御部１１１に出力する。なお、入力部１１０の具体例としては、キーボタン、タッチパネルなどがある。
【００３６】
制御部１１１は、撮像素子１０１から通信部１０９の各部と接続され（図２においては記載を省略）、各部を入力部１１０から出力される制御信号に応じて制御する。
【００３７】
次に、本実施形態の情報処理装置１０の動作について説明する。
【００３８】
図３は、情報処理装置１０の撮影時の動作を示すフローチャートである。図４は、記録用メモリ１０７に記憶される画像データの遷移を示す図である。図５は、外部機器２０に記憶される画像データの遷移を示す図である。
【００３９】
入力部１１０を介して撮影を行う旨が入力されると、制御部１１１は、撮像素子１０１に撮影を行わせる（ステップＳ２０１）。なお、記録用メモリ１０７には、図４（ａ）に示すように、画像データは記憶されていないものとする。
【００４０】
撮像素子１０１は、制御部１１１の制御に従って撮影を行い、撮影画像の画像データを出力する。撮像素子１０１から出力された画像データは、記録用メモリ１０７に記憶される。なお、以下では、図４（ｂ）に示すように、識別情報であるファイル名が「ＤＣＭ＿０００１．ｊｐｇ」，「ＤＣＭ＿０００２．ｊｐｇ」，「ＤＣＭ＿０００３．ｊｐｇ」である３つの画像データが記録用メモリ１０７に記憶されたものとする。
【００４１】
次に、ＵＳＢ３０を介して通信部１０９が外部機器２０と接続され、入力部１１０を介して、記録用メモリ１０７に記憶されている画像データを外部機器２０に転送する旨が入力されると、制御部１１１は、通信部１０９に、記録用メモリ１０７に記憶されている画像データのうち、外部機器２０に未送信の画像データを外部機器２０に送信させる（ステップＳ２０２）。以下では、制御部１１１は、通信部１０９にファイル名が「ＤＣＭ＿０００１．ｊｐｇ」，「ＤＣＭ＿０００２．ｊｐｇ」，「ＤＣＭ＿０００３．ｊｐｇ」である画像データを外部機器２０に送信させたとする。なお、制御部１１１は、例えば、外部機器２０に送信済みの画像データに対しては、送信済みである旨を示すフラグを立てるなどして、未送信の画像データを特定する。
【００４２】
通信部１０９から送信され、ファイル名が「ＤＣＭ＿０００１．ｊｐｇ」，「ＤＣＭ＿０００２．ｊｐｇ」，「ＤＣＭ＿０００３．ｊｐｇ」である画像データは、図５（ａ）に示すように、外部機器２０の記憶部２０１に記憶される。
【００４３】
画像データの送信が完了した時点で、情報処理装置１０と外部機器２０との接続は切り離し可能となる。
【００４４】
次に、記録用メモリ１０７に記憶されている画像データのうち、特定の画像データ、例えば、ファイル名が「ＤＣＭ＿０００１．ｊｐｇ」，「ＤＣＭ＿０００３．ｊｐｇ」である画像データを削除する旨が入力されたとする。以下では、削除すると指定された画像データに示される画像を非鑑賞用画像と称する。
【００４５】
制御部１１１は、図４（ｃ）に示すように、ファイル名が「ＤＣＭ＿０００１．ｊｐｇ」，「ＤＣＭ＿０００３．ｊｐｇ」である画像データを記録用メモリ１０７から削除する（ステップＳ２０３）。
【００４６】
次に、記録用メモリ１０７に記憶されている画像データを鑑賞用に保持する旨が入力部１１０を介して入力されたとする。以下では、鑑賞用に保持する旨が入力された時点で記録用メモリ１０７に記憶されている画像データに示される画像を鑑賞用画像と称する。
【００４７】
制御部１１１は、記録用メモリ１０７に記憶されている鑑賞用画像の画像データのファイル名を登録した鑑賞用画像管理リストを作成し、記録用メモリ１０７に記憶させる（ステップＳ２０４）。
【００４８】
図６は、鑑賞用画像管理リスト１１２に登録される画像データの遷移を示す図である。
【００４９】
上述したように、画像データを鑑賞用に保持する旨が入力された時点では、ファイル名が「ＤＣＭ＿０００２．ｊｐｇ」である画像データが記録用メモリ１０７に記憶されているので、図６（ａ）に示すように、鑑賞用画像管理リスト１１２には、ファイル名「ＤＣＭ＿０００２．ｊｐｇ」が登録される。
【００５０】
次に、再び、撮影を行う旨が入力されると、制御部１１１は、新たに撮影された撮影画像の画像データを記録用メモリ１０７が記憶可能な残容量の有無を判定する（ステップＳ２０５）。
【００５１】
残容量がある場合には（ステップＳ２０５：Ｙｅｓ）、制御部１１１は、撮像素子１０１に撮影を行わせ、撮影画像の画像データを記録用メモリ１０７に記憶させる（ステップＳ２０６）。
【００５２】
次に、制御部１１１は、入力部１１０を介して撮影を終了する旨が入力されたか否かを判定する（ステップＳ２０７）。
【００５３】
撮影を終了する旨が入力されず（ステップＳ２０７：Ｎｏ）、続けて撮影を行う旨が入力されると、制御部１１１は、ステップＳ２０５の処理に戻る。
【００５４】
撮影を終了する旨が入力されると（ステップＳ２０７：Ｙｅｓ）、制御部１１１は、処理を終了する。
【００５５】
残容量がない場合には（ステップＳ２０５：Ｎｏ）、鑑賞用画像の画像データが記録用メモリ１０７に記憶されているか否かを判定する（ステップＳ２０８）。
【００５６】
鑑賞用画像の画像データが記録用メモリ１０７に記憶されている場合には（ステップＳ２０８：Ｙｅｓ）、制御部１１１は、記録用メモリ１０７から鑑賞用画像の画像データを削除し（ステップＳ２０９）、記録用メモリ１０７における観賞用画像の画像データが占める割合を小さくして、ステップＳ２０６の処理に進む。なお、画像データの削除は、１つだけ画像データを削除しても、複数の画像データをまとめて削除してもよい。
【００５７】
鑑賞用画像の画像データが記録用メモリ１０７に記憶されていない場合には（ステップＳ２０８：Ｎｏ）、外部機器２０に送信済みである画像データが全て削除され、新たに撮影された撮影画像の画像データを記憶することで記録用メモリ１０７の残容量が無くなったことになる。制御部１１１は、記録用メモリ１０７が撮影画像の画像データをこれ以上記憶できないので、撮影可能枚数が０枚、すなわち、撮影不可として処理を終了する。
【００５８】
次に、情報処理装置１０の画像データの復元時の動作について、図７に示すフローチャートを参照して説明する。なお、図７において、図３と同様の処理については同じ符号を付し、説明を省略する。
【００５９】
図７においては、制御部１１１は、図６（ａ）に示す鑑賞用画像管理リスト１１２を記憶しているものとする。
【００６０】
また、図７のステップＳ２０１において、記録用メモリ１０７が空の状態から撮影が行われ、図４（ｄ）に示すように、ファイル名が「ＤＣＭ＿０００４．ｊｐｇ」，「ＤＣＭ＿０００５．ｊｐｇ」，「ＤＣＭ＿０００６．ｊｐｇ」である画像データが記録用メモリ１０７に記憶されたものとする。
【００６１】
また、図７のステップＳ２０２において、ファイル名が「ＤＣＭ＿０００４．ｊｐｇ」，「ＤＣＭ＿０００５．ｊｐｇ」，「ＤＣＭ＿０００６．ｊｐｇ」である画像データが、外部機器２０に送信され、図５（ｂ）に示すように、外部機器２０の記憶部２０１に記憶されたものとする。なお、記憶部２０１には、先に送信済みのファイル名が「ＤＣＭ＿０００１．ｊｐｇ」，「ＤＣＭ＿０００２．ｊｐｇ」，「ＤＣＭ＿０００３．ｊｐｇ」である画像データも記憶されている。
【００６２】
また、図７のステップＳ２０３において、ファイル名が「ＤＣＭ＿０００４．ｊｐｇ」，「ＤＣＭ＿０００６．ｊｐｇ」である画像データが指定され、図４（ｅ）に示すように、これらの画像データが記録用メモリ１０７から削除されたとする。
【００６３】
画像データの削除後、ＵＳＢ３０を介して通信部１０９が外部機器２０と接続され、鑑賞用画像の画像データを復元させる旨が入力部１１０を介して入力されると、制御部１１１は、鑑賞用画像管理リストを参照し、鑑賞用画像管理リストに登録されているファイル名の画像データが記録用メモリ１０７に記憶されているか否かを判定する。
【００６４】
鑑賞用画像管理リストに登録されているファイル名の画像データが記録用メモリ１０７に記憶されていない場合には、制御部１１１は、そのファイル名に示される画像データの送信要求を通信部１０９に行わせる。
【００６５】
図６（ａ）に示すように、ファイル名「ＤＣＭ＿０００２．ｊｐｇ」が鑑賞用画像管理リスト１１２には登録されている。記録用メモリ１０７には、図４（ｅ）に示すように、ファイル名が「ＤＣＭ＿０００２．ｊｐｇ」である画像データは記憶されていないので、制御部１１１は、ファイル名が「ＤＣＭ＿０００２．ｊｐｇ」である画像データの送信要求を通信部１０９に行わせる。
【００６６】
ファイル名が「ＤＣＭ＿０００２．ｊｐｇ」である画像データが送信要求に応じて外部機器２０から送信され、通信部１０９がその画像データを受信すると、制御部１１１は、図４（ｆ）に示すように、その画像データを記録用メモリ１０７に記憶させ、画像データを復元する（ステップＳ３０１）。
【００６７】
次に、記録用メモリ１０７に記憶されている画像データのうち、特定の画像データを削除する旨が入力部１１０を介して入力されたとすると、制御部１１１は、その特定の画像データを非鑑賞用画像の画像データとして、記録用メモリ１０７から削除させる（ステップＳ３０２）。ここでは、画像データを削除する旨が入力されなかったものとする。なお、ユーザーが以前には鑑賞用画像として保持しておきたいと考えていた画像であっても、その画像の画像データを復元した際には、その画像を鑑賞用画像として保持しておきたいとは考えない場合がある。そこで、鑑賞用画像の画像データの復元後、改めて、削除する画像データ（非観賞用画像の画像データ）の指定の入力を受け付け、指定された画像データを削除することで、ユーザーにとって不要な画像データを記録用メモリ１０７から適宜、削除することができる。
【００６８】
次に、記録用メモリ１０７に記憶されている画像データを鑑賞用に保持する旨が入力部１１０を介して入力されたとすると、制御部１１１は、記録用メモリ１０７に記憶されている画像データのファイル名のリストを作成して記憶する（ステップＳ３０３）。図４（ｆ）に示すように、記録用メモリ１０７には、ファイル名が「ＤＣＭ＿０００２．ｊｐｇ」，「ＤＣＭ＿０００５．ｊｐｇ」である画像データが記憶されているので、制御部１１１は、図６（ｂ）に示すように、ファイル名「ＤＣＭ＿０００２．ｊｐｇ」，「ＤＣＭ＿０００５．ｊｐｇ」を鑑賞用画像管理リスト１１２に登録する。
【００６９】
このように本実施形態によれば、情報処理装置１０は、記憶している画像データを外部機器２０に送信し、その画像データの中から指定された鑑賞用画像の画像データのファイル名を登録した鑑賞用画像管理リストを作成し、鑑賞用画像の画像データの復元要求が行われると、鑑賞用画像管理リストに登録されている画像データを外部機器２０から受信する。
【００７０】
そのため、鑑賞用画像の画像データを指定するだけで、その画像データを削除しても、外部機器２０と接続すると、その画像データが復元されるので、データの復元の手間を削減することができる。
【００７１】
なお、本実施形態においては、情報処理装置１０と外部機器２０とが有線（ＵＳＢ３０）を介してデータを送受信する場合を例として説明したが、これに限られるものではなく、無線を介してデータを送受信してもよい。
【００７２】
また、本実施形態においては、鑑賞用画像の画像データを削除して、記録用メモリ１０７における鑑賞用画像の画像データが占める割合を少なくする例を用いて説明したが、これに限られず、例えば、画像データの圧縮率を高くしたり、鑑賞用画像のピクセルサイズを小さくしたりするようにしてもよい。
【００７３】
画像データの圧縮率を高くしたり、ピクセルサイズを小さくしたりすることで、画質は低下するものの、鑑賞用画像を引き続き情報処理装置１０を用いて鑑賞することができる。また、鑑賞用画像の元の画像データを外部機器２０から受信して復元することで、元の鑑賞用画像の画質で鑑賞することができる。
【００７４】
また、本実施形態においては、非観賞用画像を指定する例を用いて説明したが、これに限られるものではなく、観賞用画像を指定するようにしてもよい。
【００７５】
（第２の実施形態）
図８は、本発明の第２の実施形態の情報処理装置４０の構成を示すブロック図である。なお、図８において、図２と同様の構成については同じ符号を付し、説明を省略する。
【００７６】
図８に示す情報処理装置４０は、記憶部４１と、通信部４２と、入力部４３と、制御部４４と、を有する。
【００７７】
記憶部４１は、画像データや音声データなどのデータを記憶する。
【００７８】
通信部４２は、図示しない外部機器とデータを送受信する。
【００７９】
入力部４３は、操作入力のための入力手段である。
【００８０】
制御部４４は、入力部４３に、記憶部４１に記憶されているデータの中から特定のデータを指定して外部機器へ送信する旨が入力されると、その特定のデータに対応する識別情報を記憶部４１に記憶させるとともに、通信部４２にその特定のデータを図示しない外部機器へ送信させる。また、制御部４４は、入力部４３に、その特定のデータの復元を要求する旨が入力されると、通信部４２に、記憶部４１に記憶されている識別情報に対応するデータの送信要求をその外部機器に対して行わせ、その後、送信要求に応じて外部機器から送信されてきたデータを受信させる。
【００８１】
このように本実施形態によれば、情報処理装置４０は、記憶しているデータの中から指定された特定のデータに対応する識別情報を記憶するとともに、その特定のデータを外部機器に送信し、その特定のデータの復元を要求する旨が入力される値と、記憶している識別情報に対応するデータの送信要求を外部機器に対して行い、その後、送信要求に応じて外部機器２０から送信されてきたデータを受信する。
【００８２】
そのため、特定のデータを情報処理装置４０から削除などしても、情報処理装置４０と外部機器２０とを接続すると、その特定のデータが復元されるので、データの復元の手間を削減することができる。
【００８３】
なお、本発明の情報処理装置にて行われる方法は、コンピュータに実行させるためのプログラムに適用してもよい。また、そのプログラムを記憶媒体に格納することも可能であり、ネットワークを介して外部に提供することも可能である。
【符号の説明】
【００８４】
１０，４０    情報処理装置
１０１    撮像素子
１０２    画像処理部
１０３    ワークメモリ
１０４    リサイズ部
１０５    表示部
１０６    圧縮部
１０７    記憶用メモリ
１０８    伸張部
１０９，４２    通信部
１１０    入力部
１１１，４４    制御部
２０    外部機器
３０    ＵＳＢ
４１    記憶部
４３    入力部
【図２】
2012216910.tif 000003
【図３】
2012216910.tif 000004
【図４】
2012216910.tif 000005
【図５】
2012216910.tif 000006
【図６】
2012216910.tif 000007
【図７】
2012216910.tif 000008
【図８】
2012216910.tif 000009
【図１】
2012216910.tif 000010